(57)【要約】【課題】  端末装置と接続するサーバにおける記憶容量を削減する。【解決手段】  本発明のネットワークを介してサーバ及び端末装置と接続する管理装置は、サーバが端末装置と接続するための環境に関する環境情報を取得する環境情報取得手段と、環境情報を基に端末装置が保存する退避情報を生成し、端末装置に退避情報を送信する退避情報生成手段と、端末装置から退避情報の保存の完了の通知を受信し、通知をサーバに送信する通知処理手段とを含む。【選択図】  図１
2019021119.tif 000002
【特許請求の範囲】
【請求項１】
ネットワークを介してサーバ及び端末装置と接続する管理装置において、
前記サーバが前記端末装置と接続するための環境に関する環境情報を取得する環境情報取得手段と、
前記環境情報を基に前記端末装置が保存する退避情報を生成し、前記端末装置に前記退避情報を送信する退避情報生成手段と、
前記端末装置から前記退避情報の保存の完了の通知を受信し、前記通知を前記サーバに送信する通知処理手段と
を含む管理装置。
【請求項２】
前記端末装置から前記退避情報を取得する退避情報取得手段と、
前記退避情報を基に前記環境情報を生成して、前記サーバに生成した前記環境情報を送信する環境情報生成手段と
をさらに含む請求項１に記載の管理装置。
【請求項３】
前記環境情報における共通となっている情報である共通情報を取得する共通情報取得手段をさらに含み、
前記退避情報生成手段が、
前記退避情報として前記環境情報から前記端末装置に関連する端末情報を抽出して送信し、
前記環境情報生成手段が、
前記端末装置から取得した前記退避情報と前記共通情報とを基に前記環境情報を生成する
請求項２に記載の管理装置。
【請求項４】
前記退避情報を暗号化する暗号手段と、
暗号化された前記退避情報を復号する復号手段と
をさらに含み、
前記退避情報生成手段が、
暗号化した前記退避情報を送信し、
前記環境情報生成手段が、
前記端末装置から取得して暗号化された前記退避情報を復号し、復号された前記退避情報を基に前記環境情報を生成する
請求項２又は３に記載の管理装置。
【請求項５】
前記環境情報生成手段が前記環境情報を送信後、前記端末装置に前記退避情報の削除を依頼する削除依頼手段
をさらに含む請求項２ないし４のいずれか１項に記載の管理装置。
【請求項６】
請求項１ないし５のいずれか１項に記載の前記管理装置と、
前記端末装置と、
前記サーバと
を含み、
前記端末装置が、
前記管理装置から受信した前記退避情報を保存する端末保存手段と、
前記退避情報の保存後に、前記管理装置に前記通知を送信する端末制御手段と
を含み、
前記サーバが、
前記環境情報を保存する環境保存手段と、
前記端末装置との接続を切断するときに、前記管理装置に、前記端末装置に対応した前記環境情報に関連する前記退避情報の保存を依頼し、前記管理装置から前記通知を受信すると前記環境保存手段から前記通知に対応した前記環境情報を削除するサーバ制御手段と
を含む
情報処理システム。
【請求項７】
ネットワークを介してサーバ及び端末装置と接続する管理装置が、
前記サーバが前記端末装置と接続するための環境に関する環境情報を取得し、
前記環境情報を基に前記端末装置が保存する退避情報を生成し、前記端末装置に前記退避情報を送信し、
前記端末装置から前記退避情報の保存の完了の通知を受信し、前記通知を前記サーバに送信する
管理方法。
【請求項８】
サーバと端末装置と管理装置とがネットワークを介して接続されている情報処理システムにおいて、
前記管理装置が、
前記サーバが前記端末装置と接続するための環境に関する環境情報を取得し、
前記環境情報を基に前記端末装置が保存する退避情報を生成し、前記端末装置に前記退避情報を送信し、
前記端末装置から前記退避情報の保存の完了の通知を受信し、前記通知を前記サーバに送信し、
前記端末装置が、
前記管理装置から受信した前記退避情報を保存し、
前記退避情報の保存後に、前記管理装置に前記通知を送信し、
前記サーバが、
前記環境情報を保存し、
前記端末装置との接続を切断するときに、前記管理装置に、前記端末装置に対応した前記環境情報に関連する前記退避情報の保存を依頼し、前記管理装置から前記通知を受信すると前記通知に対応した前記環境情報を削除する
情報処理方法。
【請求項９】
ネットワークを介してサーバ及び端末装置と接続されているコンピュータに、
前記サーバが前記端末装置と接続するための環境に関する環境情報を取得する処理と、
前記環境情報を基に前記端末装置が保存する退避情報を生成し、前記端末装置に前記退避情報を送信する処理と、
前記端末装置から前記退避情報の保存の完了の通知を受信し、前記通知を前記サーバに送信する処理と
を実行させるプログラム。
【発明の詳細な説明】
【技術分野】
【０００１】
本発明は、情報の管理に関し、特に、サーバと端末装置との接続を管理する管理装置などに関する。
【背景技術】
【０００２】
情報処理システムにおいて、各機能が高度化している。単独の装置が、多くの高度な機能を備えることは難しい。そこで、端末装置が、ネットワークを介して、各機能に対応したサーバにリモート接続するシステムが用いられている（例えば、特許文献１を参照）。
【０００３】
特許文献１に記載のシステムでは、計算デバイスが、クライアント・デバイスからのデータを、所定のグラフィック計算デバイスに配信されるように制御する。
【先行技術文献】
【特許文献】
【０００４】
【特許文献１】特表２０１４−５３０４４１号公報
【発明の概要】
【発明が解決しようとする課題】
【０００５】
端末装置は、常に、サーバと接続している必要はない。端末装置は、サーバの機能を必要とする際に、サーバと接続すればよい。そこで、一般的なリモート接続するシステムでは、端末装置は、サーバの機能を必要とするときにサーバに接続し、必要なくなると接続を切断し、再度必要となるとサーバと再接続する。
【０００６】
なお、端末装置とサーバとをリモート接続する情報処理システムでは、サーバが、接続の管理を行う。そこで、サーバは、ネットワークを介して端末装置と接続するための接続環境に関する情報（環境情報）を保持する。サーバは、最初に端末装置との接続を確立した時に環境情報を生成する。そして、サーバは、生成した環境情報をその後保存し続ける。環境情報は、提供するサービスに従って決定される。例えば、環境情報は、サーバにおいて実行中のサービスの状態（途中経過及び生成したデータなど）、及び／又は、端末装置に関連する情報（端末装置のアドレス及び端末装置の状態など）である。
【０００７】
情報処理システムにおいて、リモート接続する端末装置の数は、今後増大すると想定されている。端末装置の増加に伴い、サーバが保存する環境情報が、増加している。また、サーバにおいて、環境情報に限らず各種の保存情報が増加している。そのため、サーバに保存が必要となる情報の削減が望まれている。
【０００８】
環境情報に関しても、保存するための記憶容量の削減が望まれる。
【０００９】
しかし、特許文献１は、上記課題を解決するような技術を開示していない。つまり、特許文献１に記載の発明は、サーバにおける環境情報の保存に必要となる記憶容量の増加を削減できないという問題点があった。
【００１０】
本発明の目的は、上記問題点を解決し、サーバにおける記憶容量を削減する管理装置などを提供することにある。
【課題を解決するための手段】
【００１１】
本発明の一形態における管理装置は、ネットワークを介してサーバ及び端末装置と接続し、サーバが端末装置と接続するための環境に関する環境情報を取得する環境情報取得手段と、環境情報を基に端末装置が保存する退避情報を生成し、端末装置に退避情報を送信する退避情報生成手段と、端末装置から退避情報の保存の完了の通知を受信し、通知をサーバに送信する通知処理手段とを含む。
【００１２】
本発明の一形態における情報処理システムは、上記の管理装置と、端末装置と、サーバとを含む。端末装置は、管理装置から受信した退避情報を保存する端末保存手段と、退避情報の保存後に、管理装置に通知を送信する端末制御手段とを含む。サーバは、環境情報を保存する環境保存手段と、端末装置との接続を切断するときに、管理装置に、端末装置に対応した環境情報に関連する退避情報の保存を依頼し、管理装置から通知を受信すると環境保存手段から通知に対応した環境情報を削除するサーバ制御手段とを含む。
【００１３】
本発明の一形態における管理方法は、サーバと端末装置と接続されている管理装置が、サーバが端末装置と接続するための環境に関する環境情報を取得し、環境情報を基に端末装置が保存する退避情報を生成し、端末装置に退避情報を送信し、端末装置から退避情報の保存の完了の通知を受信し、通知をサーバに送信する。
【００１４】
本発明の一形態における情報処理方法は、サーバと端末装置と管理装置とを含む情報処理システムにおける方法である。管理装置は、サーバが端末装置と接続するための環境に関する環境情報を取得し、環境情報を基に端末装置が保存する退避情報を生成し、端末装置に退避情報を送信し、端末装置から退避情報の保存の完了の通知を受信し、通知をサーバに送信する。端末装置は、管理装置から受信した退避情報を保存し、退避情報の保存後に、管理装置に通知を送信する。サーバは、環境情報を保存し、端末装置との接続を切断するときに、管理装置に、端末装置に対応した環境情報に関連する退避情報の保存を依頼し、管理装置から通知を受信すると通知に対応した環境情報を削除する。
【００１５】
本発明の一形態におけるプログラムは、ネットワークを介してサーバ及び端末装置と接続されているコンピュータに、サーバが端末装置と接続するための環境に関する環境情報を取得する処理と、環境情報を基に端末装置が保存する退避情報を生成し、端末装置に退避情報を送信する処理と、端末装置から退避情報の保存の完了の通知を受信し、通知をサーバに送信する処理とを実行させる。
【発明の効果】
【００１６】
本発明に基づけば、サーバにおける記憶容量を削減するとの効果を奏することができる。
【図面の簡単な説明】
【００１７】
【図１】図１は、本発明における第１の実施形態に係る管理装置の構成の一例を示すブロック図である。
【図２】図２は、第１の実施形態に係る管理装置を含む情報処理システムの構成の一例を示すブロック図である。
【図３】図３は、第１の実施形態に係るサーバの構成の一例を示すブロック図である。
【図４】図４は、第１の実施形態に係る端末装置の構成の一例を示すブロック図である。
【図５】図５は、第１の実施形態に係る情報処理システムにおける切断時の動作の一例を示すシーケンス図である。
【図６】図６は、切断時の動作の説明するための図である。
【図７】図７は、第１の実施形態に係る情報処理システムにおける再接続時の動作の一例を示すシーケンス図である。
【図８】図８は、再接続の動作の説明するための図である。
【図９】図９は、第１に実施形態に係る管理装置の概要の一例を示すブロック図である。
【図１０】図１０は、第１に実施形態に係る情報処理システムの概要の一例を示すブロック図である。
【図１１】図１１は、第１の実施形態に係る管理装置のハードウェア構成の一例を示すブロック図である。
【図１２】図１２は、本発明における第２の実施形態に係る管理装置の構成の一例を示すブロック図である。
【発明を実施するための形態】
【００１８】
次に、本発明の実施形態について図面を参照して説明する。
【００１９】
なお、各図面は、本発明の実施形態を説明するためのものである。ただし、本発明は、各図面の記載に限られるわけではない。また、各図面の同様の構成には、同じ番号を付し、その繰り返しの説明を、省略する場合がある。また、以下の説明に用いる図面において、本発明の説明に関係しない部分の構成については、記載を省略し、図示しない場合もある。
【００２０】
＜第１の実施形態＞
以下、図面を参照して、本発明における第１の実施形態について説明する。
【００２１】
［構成の説明］
まず、図面を参照して、第１の実施形態に係る管理装置１００を含む情報処理システム１０の構成について説明する。
【００２２】
図２は、情報処理システム１０の構成の一例を示すブロック図である。情報処理システム１０は、管理装置１００と、サーバ２００と、端末装置３００と、ネットワーク４００とを含む。
【００２３】
ネットワーク４００は、管理装置１００と、サーバ２００と、端末装置３００とを接続する通信網である。ネットワーク４００は、管理装置１００と、サーバ２００と、端末装置３００とを接続できれば、その構成は任意である。例えば、ネットワーク４００は、Ｌｏｃａｌ  Ａｒｅａ  Ｎｅｔｗｏｒｋ（ＬＡＮ）でもよい。また、ネットワーク４００のプロトコルは、任意である。例えば、ネットワーク４００は、Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ（ＴＣＰ／ＩＰ）を用いてもよい。そのため、ネットワーク４００の詳細な説明は省略する。
【００２４】
図２の各装置は、ネットワーク４００を介して接続されている。そのため、各装置は、ネットワーク４００と接続のための回路を含む通信部を備える。ただし、上記のとおりネットワーク４００の構成及びプロトコルは任意のため、以下の説明では、各装置の通信部の説明を省略する。
【００２５】
また、ネットワーク４００は、上記の装置をその他の装置に接続してもよい。
【００２６】
例えば、図２に示されているネットワーク４００は、サーバ２００と、端末装置３００とを論理的に分離するため、内部ファイアウォール４１０を含む。ただし、これは、一例である。ネットワーク４００は、内部ファイアウォール４１０を含まなくてもよい。
【００２７】
さらに、図２に示されているネットワーク４００は、外部ネットワーク６００と接続するための外部ファイアウォール５００と接続されている。ただし、これは、一例である。ネットワーク４００は、外部ファイアウォール５００を介さず、外部ネットワーク６００又は図示しないネットワーク又は装置に接続してもよい。あるいは、ネットワーク４００は、外部ネットワーク６００などの外部と接続しない、内部の接続に制限された通信網でもよい。
【００２８】
サーバ２００は、ネットワーク４００を介して、端末装置３００と接続し、端末装置３００に対して所定のサービス又は機能を提供する。サーバ２００は、端末装置３００との接続環境に関する情報（以下、「環境情報（Ｅｎｖｉｒｏｎｍｅｎｔ  Ｉｎｆｏｒｍａｔｉｏｎ）」と呼ぶ）を保存する。
【００２９】
そして、サーバ２００は、後ほど詳細に説明するように、端末装置３００との接続を切断するときに、管理装置１００の管理に基づいて環境情報を削除して、保存に必要な容量を削減する。
【００３０】
また、サーバ２００は、端末装置３００と再接続するとき、管理装置１００の動作に基づいて環境情報を取得し、取得した環境情報を用いて端末装置３００と再接続する。
【００３１】
図３は、サーバ２００の構成の一例を示すブロック図である。
【００３２】
サーバ２００は、サーバ制御部２１０と、環境保存装置２２０とを含む。
【００３３】
サーバ制御部２１０は、管理装置１００及び端末装置３００と情報を送信及び受信し、所定の動作を実現する。
【００３４】
環境保存装置２２０は、環境情報を保存する。さらに、環境保存装置２２０は、環境情報における共通の情報（以下、「共通情報（Ｃｏｍｍｏｎ  Ｉｎｆｏｒｍａｔｉｏｎ）」と呼ぶ）を保存してもよい。例えば、環境保存装置２２０は、共通情報として、環境情報のテンプレートを保存してもよい。
【００３５】
サーバ２００における環境情報を保存する構成は、任意である。例えば、図３に示されているように、サーバ２００が、内部の装置として、環境情報を保存する環境保存装置２２０を含んでもよい。あるいは、環境保存装置２２０は、ネットワーク４００を介してサーバ２００と接続されている装置（サーバ２００の外部の装置）でもよい。
【００３６】
図２は、例示として、サーバ２００の内部に設けられた環境保存装置２２０及び外部に設けられた環境保存装置２２０を示している。図２は、破線を用いて、環境保存装置２２０の両方の構成を示している。サーバ２００は、どちらの環境保存装置２２０を備えてもよい。サーバ２００は、どちらの環境保存装置２２０の場合でも、同様に動作する。以下の説明では、特に区別の必要がある場合を除き、両方の環境保存装置２２０を区別しないで説明する。例えば、以下の説明におけるサーバ２００は、環境保存装置２２０を含んでもよく、外部の環境保存装置２２０に接続されていてもよい。
【００３７】
図２を参照した説明に戻る。
【００３８】
端末装置３００は、サーバ２００から所定のサービス又は機能の提供を受けるため、ネットワーク４００を介してサーバ２００と接続する。
【００３９】
さらに、端末装置３００は、ネットワーク４００を介して、管理装置１００から所定の情報（以下、「退避情報（Ｅｖａｃｕａｔｉｏｎ  Ｉｎｆｏｒｍａｔｉｏｎ）」と呼ぶ）を受信して、保存する。そして、端末装置３００は、退避情報の保存後、管理装置１００に、退避情報の保存を完了したことを示す通知（以下、「保存完了通知」と呼ぶ）を送信する。退避情報については後ほど詳細に説明する。
【００４０】
また、端末装置３００は、管理装置１００に、保存した退避情報を送信する。
【００４１】
図４は、端末装置３００に構成の一例を示すブロック図である。
【００４２】
端末装置３００は、端末制御部３１０と、端末保存装置３２０とを含む。
【００４３】
端末制御部３１０は、サーバ２００及び管理装置１００と、情報を送信及び受信し、所定の動作を実現する。
【００４４】
端末保存装置３２０は、退避情報を保存する。
【００４５】
端末装置３００における退避情報を保存する構成は、任意である。例えば、図４に示されているように、端末装置３００が、内部の装置として、退避情報を保存する端末保存装置３２０を含んでもよい。あるいは、端末保存装置３２０は、ネットワーク４００を介して端末装置３００と接続されている装置（端末装置３００の外部の装置）でもよい。
【００４６】
図２は、例示として、端末装置３００の内部に設けられた端末保存装置３２０及び外部に設けられた端末保存装置３２０を示している。図２は、破線を用いて、端末保存装置３２０の両方の構成を示している。端末装置３００は、どちらの端末保存装置３２０を備えればよい。端末装置３００は、どちらの端末保存装置３２０の場合でも、同様に動作する。以下の説明は、特に区別の必要がある場合を除き、両方の端末保存装置３２０を区別しないで説明する。例えば、以下の説明における端末装置３００は、端末保存装置３２０を含んでもよく、外部の端末保存装置３２０に接続されていてもよい。
【００４７】
図２に示されているサーバ２００及び端末装置３００の数は、一例である、情報処理システム１０は、少なくとも１台のサーバ２００、及び、少なくとも１台の端末装置３００を含めばよい。
【００４８】
管理装置１００は、サーバ２００及び端末装置３００を用いて、サーバ２００における環境情報の保存に必要な記憶容量を削減する。
【００４９】
図面を参照して、管理装置１００の構成と説明する。
【００５０】
図１は、本発明における第１の実施形態に係る管理装置１００の構成の一例を示すブロック図である。管理装置１００は、環境情報取得部１１０と、退避情報生成部１２０と、暗号部１３０と、通知処理部１４０と、退避情報取得部１５０と、復号部１６０と、共通情報取得部１７０と、環境情報生成部１８０とを含む。
【００５１】
管理装置１００は、サーバ２００からの依頼を基に動作を開始する。例えば、サーバ２００が端末装置３００との接続を切断する場合、サーバ２００は、管理装置１００に環境情報に関連する退避情報の保存を依頼する。サーバ２００が端末装置３００との再接続を切断する場合、サーバ２００は、管理装置１００に環境情報を依頼する。管理装置１００は、その依頼を基に動作を開始する。
【００５２】
まず、退避情報の保存に関連する構成について説明する。
【００５３】
環境情報取得部１１０は、サーバ２００から環境情報を取得する。環境保存装置２２０がサーバ２００と別装置の場合、環境情報取得部１１０は、環境保存装置２２０から環境情報を取得してもよい。
【００５４】
退避情報生成部１２０は、環境情報を基に、端末装置３００に送信する退避情報を生成する。退避情報生成部１２０は、環境情報を退避情報としてもよい。
【００５５】
ただし、退避情報は、これに限定されない。例えば、退避情報生成部１２０は、環境情報の中で、端末装置３００に関連する情報（以下、「端末情報（Ｔｅｒｍｉｎａｌ  Ｉｎｆｏｒｍａｔｉｏｎ）」と呼ぶ）を抽出し、端末情報を退避情報としてもよい。この場合、管理装置１００は、端末装置３００における退避情報を保存するための記憶容量を削減できる。端末情報は、環境情報から共通情報を削除した情報でもある。
【００５６】
あるいは、退避情報生成部１２０は、次に説明する暗号部１３０を用いて、退避情報を暗号化してもよい。以下、暗号化された退避情報を「暗号済み退避情報（Ｅｎｃｒｙｐｔｅｄ  ｅｖａｃｕａｔｉｏｎ  Ｉｎｆｏｒｍａｔｉｏｎ）」と呼ぶ。端末装置３００は、暗号済み退避情報を用いた動作を実行できない。言い換えると、端末装置３００は、退避情報の影響を受けない。この場合、管理装置１００は、端末装置３００における退避情報に基づく動作などを避けることができる。例えば、端末装置３００のアプリが、間違って退避情報を用いて動作することを避けることができる。
【００５７】
さらに、退避情報を暗号化することは、悪意のある者が端末装置３００における退避情報を改ざんすることを避けることができる。
【００５８】
つまり、管理装置１００は、暗号化を用いて端末装置３００における安全性を向上できる。
【００５９】
あるいは、退避情報生成部１２０は、環境情報から端末情報を抽出し、抽出した端末情報を暗号化して、暗号化した端末情報を退避情報としてもよい。この場合、管理装置１００は、端末装置３００における記憶容量の削減と安全性の向上とを実現できる。
【００６０】
退避情報生成部１２０は、所定の基準を基に、一部の退避情報を暗号化してもよい。例えば、事務所内に固定されている端末装置３００は、第三者に利用される可能性が低い。一方、携帯できる端末装置３００は、盗難など、悪意のある第三者に利用される可能性が高い。そこで、管理装置１００は、固定されている端末装置３００には暗号化しない退避情報を送信し、携帯できる端末装置３００には暗号化した退避情報を送信してもよい。
【００６１】
暗号部１３０は、退避情報生成部１２０から依頼された退避情報を暗号化する。暗号部１３０は、予め、暗号化用の鍵（暗号化鍵）を保持する。暗号部１３０が用いる暗号化は、任意である。暗号部１３０は、共通鍵暗号を用いても、公開鍵暗号を用いてもよい。
【００６２】
管理装置１００が暗号を用いない場合、管理装置１００は、暗号部１３０を含まなくてもよい。
【００６３】
そして、退避情報生成部１２０は、退避情報を端末装置３００に送信する。
【００６４】
管理装置１００が暗号を用いる場合、暗号部１３０が、端末装置３００に暗号済み退避情報を送信してもよい。
【００６５】
端末装置３００は、受信した退避情報の保存を完了すると、管理装置１００に通知（保存完了通知）を送信する。
【００６６】
通知処理部１４０は、端末装置３００から、送信した退避情報に対応する保存完了通知（以下、単に「通知」とも呼ぶ）を受信すると、受信した保存完了通知をサーバ２００に送信する。
【００６７】
サーバ２００は、保存完了通知を受信すると、環境情報を削除する。サーバ２００が、環境情報を削除するタイミングは任意である。サーバ２００は、保存完了通知を受信すると、環境情報を削除してもよい。あるいは、サーバ２００は、環境情報の総容量、又は、管理している記憶装置の総容量が所定の容量を超えた場合に、保存完了通知を受けた環境情報を削除してもよい。
【００６８】
次に、環境情報の生成に関連する構成について説明する。
【００６９】
退避情報取得部１５０は、端末装置３００から退避情報を取得する。
【００７０】
復号部１６０は、暗号済み退避情報を復号する。
【００７１】
共通情報取得部１７０は、サーバ２００から共通情報（例えば、環境情報のテンプレート）を取得する。環境保存装置２２０がサーバ２００の外部の装置の場合、共通情報取得部１７０は、環境保存装置２２０から共通情報を取得してもよい。
【００７２】
環境情報生成部１８０は、退避情報を基に、環境情報を生成する。
【００７３】
退避情報が暗号化されている場合、環境情報生成部１８０は、復号部１６０を用いて退避情報を復号してから、環境情報を生成する。あるいは、退避情報取得部１５０が、取得した退避情報の復号を復号部１６０に依頼し、復号後の退避情報を環境情報生成部１８０に送信してもよい。
【００７４】
退避情報が端末情報の場合、環境情報生成部１８０は、退避情報に加え、共通情報を用いて環境情報を生成する。
【００７５】
なお、管理装置１００が暗号化を用いない場合、管理装置１００は、復号部１６０を含まなくてもよい。あるいは、管理装置１００が、端末情報を抽出しないで、環境情報をそのまま退避情報として用いる場合、管理装置１００は、共通情報取得部１７０を含まなくてもよい。
【００７６】
そして、環境情報生成部１８０は、生成した環境情報をサーバ２００に送信する。環境保存装置２２０が、サーバ２００と別装置の場合、環境情報生成部１８０は、環境情報を環境保存装置２２０に送信後、サーバ２００に環境情報の保存完了を通知してもよい。
【００７７】
サーバ２００は、環境情報を基に、端末装置３００と再接続する。
【００７８】
［動作の説明］
次に、第１の実施形態に係る管理装置１００を含む情報処理システム１０の動作について、図面を参照して説明する。
【００７９】
なお、サーバ２００と端末装置３００との最初の接続動作は、一般的な接続動作となるため、説明を省略する。また、サーバ２００と端末装置３００の切断及び再接続の動作も、一般的な動作のため、詳細な説明を省略する。以下では、管理装置１００に関連する動作を説明する。
【００８０】
まず、サーバ２００と端末装置３００との切断に関連する動作を説明する。
【００８１】
図５は、情報処理システム１０の切断動作の一例を示すシーケンス図である。図５は、構成を明確にするため、環境保存装置２２０及び端末保存装置３２０を、それぞれ、サーバ２００及び端末装置３００に含まれるように示している。ただし、以下の動作の説明では説明を分かりやすくするため、管理装置１００は、直接的に、環境保存装置２２０及び端末保存装置３２０と動作するように説明する。
【００８２】
図６は、情報処理システム１０の切断動作を説明するための図である。図６に示されている矢印は、装置間の動作を示す。図６は、装置内の動作の図示を省略している。図６において、動作を明確にするため、環境保存装置２２０は、サーバ２００の外部の装置となっている。また、端末保存装置３２０は、端末装置３００の外部の装置となっている。
【００８３】
ただし、これらは、第１の実施形態を限定するものではない。環境保存装置２２０は、サーバ２００に含まれていてもよい。また、端末保存装置３２０は、端末装置３００に含まれていてもよい。
【００８４】
端末装置３００がサーバ２００との接続を切断する場合、端末装置３００は、サーバ２００に切断を依頼する（Ｓ１０１）。詳細には、端末制御部３１０が、サーバ制御部２１０に切断を依頼する。
【００８５】
切断の依頼を受けると、サーバ２００は、管理装置１００に環境情報に対応した退避情報を保存の処理を依頼する（Ｓ１０２）。詳細には、サーバ制御部２１０が、管理装置１００に、切断を依頼した端末装置３００に対応した環境情報に対応した退避情報の保存を依頼する。
【００８６】
退避情報の保存の依頼を受けると、管理装置１００は、サーバ２００から環境情報を取得する（Ｓ１０３）。詳細には、管理装置１００の環境情報取得部１１０が、環境保存装置２２０から環境情報を取得する。環境保存装置２２０がサーバ２００の外部の装置の場合、環境情報取得部１１０は、直接的に、環境保存装置２２０から環境情報を取得してもよい。図５及び６は、この場合を示している。あるいは、環境情報取得部１１０は、サーバ制御部２１０を介して、環境情報を取得してもよい。
【００８７】
管理装置１００は、環境情報から退避情報を生成する（Ｓ１０４）。詳細には、管理装置１００の退避情報生成部１２０が、環境情報を基に退避情報を生成する。
【００８８】
例えば、退避情報生成部１２０が、環境情報から端末情報を抽出する。そして、暗号部１３０が、端末情報を暗号化して、退避情報（暗号済み退避情報）を生成する。ただし、退避情報生成部１２０の動作は、これに限定されない。退避情報生成部１２０は、環境情報を退避情報としてもよく、暗号化しない情報を退避情報としてもよい。
【００８９】
管理装置１００は、退避情報を端末装置３００に送信する（Ｓ１０５）。詳細には、退避情報生成部１２０が、退避情報を端末装置３００の端末制御部３１０に送信する。
【００９０】
端末装置３００は、退避情報を保存する（Ｓ１０６）。詳細には、端末制御部３１０が、退避情報を、端末保存装置３２０に保存する。
【００９１】
そして、端末装置３００は、退避情報の保存の完了の通知を管理装置１００に送信する（Ｓ１０７）。詳細には、端末制御部３１０が、保存完了通知を、通知処理部１４０に送信する。
【００９２】
管理装置１００は、保存完了通知をサーバ２００に送信する（Ｓ１０８）。詳細には、通知処理部１４０が、保存管理用通知を、サーバ２００のサーバ制御部２１０に送信する。
【００９３】
サーバ２００は、保存完了通知を受信すると、端末装置３００との接続を切断する（Ｓ１０９）。この動作は、一般的な切断動作である。
【００９４】
そして、サーバ２００は、切断後、保存完了通知に対応した端末装置３００の環境情報を削除する（Ｓ１１０）。詳細には、サーバ制御部２１０が、環境保存装置２２０の環境情報を削除する。
【００９５】
次に、サーバ２００と端末装置３００の再接続の動作を説明する。
【００９６】
図７は、情報処理システム１０の再接続動作の一例を示すシーケンス図である。図７は、図５と同様に、構成を明確にするため、環境保存装置２２０及び端末保存装置３２０を、それぞれ、サーバ２００及び端末装置３００に含まれるように示している。ただし、以下の動作の説明では説明を分かりやすくするため、管理装置１００は、直接的に、環境保存装置２２０及び端末保存装置３２０と動作するように説明する。
【００９７】
図８は、情報処理システム１０の再接続動作を説明するための図である。図８に示されている矢印は、装置間の動作を示す。図８は、装置内の動作の図示を省略している。図８において、動作を明確にするため、環境保存装置２２０は、サーバ２００の外部の装置となっている。また、端末保存装置３２０は、端末装置３００の外部の装置となっている。
【００９８】
ただし、これらは、第１の実施形態を限定するものではない。環境保存装置２２０は、サーバ２００に含まれていてもよい。また、端末保存装置３２０は、端末装置３００に含まれていてもよい。
【００９９】
端末装置３００がサーバ２００と再接続する場合、端末装置３００は、サーバ２００に再接続を依頼する（Ｓ２０１）。
【０１００】
再接続の依頼を受けると、サーバ２００は、管理装置１００に環境情報を依頼する（Ｓ２０２）。詳細には、サーバ制御部２１０が、管理装置１００に環境情報を依頼する。
【０１０１】
管理装置１００は、端末装置３００に退避情報を依頼する（Ｓ２０３）。詳細には、退避情報取得部１５０が、端末制御部３１０に退避情報の送信を依頼する。
【０１０２】
端末装置３００は、退避情報を取得する（Ｓ２０４）。詳細には、端末制御部３１０が、端末保存装置３２０から退避情報を取得する。
【０１０３】
端末装置３００は、退避情報を管理装置１００に送信する（Ｓ２０５）。詳細には、端末制御部３１０が、退避情報取得部１５０に退避情報を送信する。
【０１０４】
管理装置１００は、退避情報を基に環境情報を生成する（Ｓ２０７）。詳細には、環境情報生成部１８０が、退避情報を基の環境情報を生成する。
【０１０５】
退避情報が暗号化されている場合、復号部１６０は、退避情報を復号する。
【０１０６】
あるいは、退避情報が端末情報の場合、共通情報取得部１７０は、サーバ２００又は環境保存装置２２０から共通情報を取得する（Ｓ２０６）。この場合、環境情報生成部１８０は、退避情報と共通情報とを基に環境情報を生成する。
【０１０７】
管理装置１００は、環境情報を保存する（Ｓ２０８）。詳細には、環境情報生成部１８０が、環境情報を環境保存装置２２０に保存する。
【０１０８】
管理装置１００は、環境情報の保存の完了をサーバ２００に通知する（Ｓ２０９）。詳細には、環境情報生成部１８０が、サーバ制御部２１０に、保存の完了と通知する。
【０１０９】
保存の完了の通知を受けると、サーバ２００は、環境情報を取得する（Ｓ２１０）。詳細には、サーバ制御部２１０が、環境保存装置２２０から環境情報を取得する。
【０１１０】
環境保存装置２２０がサーバ２００の内部の装置の場合、環境情報生成部１８０は、サーバ２００のサーバ制御部２１０に環境情報を送信してもよい。この場合、Ｓ２０８からＳ２１０との動作は、一つの動作となる。そして、この場合、サーバ制御部２１０が、環境情報を環境保存装置２２０に保存すればよい。
【０１１１】
そして、サーバ２００は、環境情報を用いて、端末装置３００と再接続する（Ｓ２１１）。再接続処理は、一般的な再接続処理と同じである。
【０１１２】
なお、ここまでの説明では、管理装置１００をサーバ２００又は端末装置３００と別装置として説明した。
【０１１３】
しかし、管理装置１００の一部又は全て機能は、サーバ２００に含まれてもよい。
【０１１４】
例えば、管理装置１００における退避情報の保存動作と、サーバ２００及び端末装置３００との切断動作とは、並列に動作可能な場合がある。一方、再接続動作は、環境情報の生成後となる。
【０１１５】
そこで、例えば、サーバ２００が、再接続における環境情報を生成する構成の機能（退避情報取得部１５０、復号部１６０、共通情報取得部１７０及び環境情報生成部１８０に相当する機能）を含むとする。つまり、管理装置１００は、環境情報取得部１１０と、退避情報生成部１２０と、暗号部１３０と、通知処理部１４０とを含むとする。この場合、切断時には、管理装置１００とサーバ２００とが並列に動作して、処理時間を削減する。一方、再接続時には、サーバ２００が、シーケンシャルに、環境情報の生成と再接続とを実行してもよい。この場合、管理装置１００に必要となる資源が少なくできる。
【０１１６】
あるいは、管理装置１００の一部又は全て機能は、端末装置３００に含まれてもよい。例えば、端末装置３００が、サーバ２００から環境情報を取得して、退避情報として端末情報を保存してもよい。
【０１１７】
［効果の説明］
次に第１の実施形態の効果を説明する。
【０１１８】
第１の実施形態は、サーバ２００における記憶容量を削減するとの効果を得ることができる。
【０１１９】
その理由は、次のとおりである。
【０１２０】
管理装置１００は、ネットワーク４００を介してサーバ２００及び端末装置３００と接続されている。管理装置１００は、環境情報取得部１１０と、退避情報生成部１２０と、通知処理部１４０とを含む。環境情報取得部１１０は、サーバ２００が端末装置３００と接続するための環境に関する環境情報を取得する。退避情報生成部１２０は、環境情報を基に端末装置３００が保存する退避情報を生成し、端末装置３００に退避情報を送信する。通知処理部１４０は、端末装置３００から退避情報の保存の完了の通知を受信し、通知（保存完了通知）をサーバ２００に送信する。
【０１２１】
サーバ２００が上記の通知（保存完了通知）を受信した時点で、退避情報は、端末装置３００に保存されている。そこで、サーバ２００は、管理装置１００からの保存完了通知を基に、環境情報を削除できる。
【０１２２】
一般的に、サーバ２００は、複数の端末装置３００と接続されている。そして、サーバ２００に同時に接続されている端末装置３００は、サーバ２００と接続する端末装置３００の一部である。一般的なサーバ２００は、接続していない端末装置３００の環境情報を保持している。
【０１２３】
本実施形態に管理装置１００は、接続していない端末装置３００の環境情報を生成するための退避情報を端末装置３００に保存する。そのため、サーバ２００は、接続していない端末装置３００の環境情報を削除できる。その結果、サーバ２００は、環境情報を保存するための記憶容量を削減できる。このように、管理装置１００は、サーバ２００における環境情報を保存するための記憶容量を削減するとの効果を奏する。
【０１２４】
さらに、退避情報生成部１２０は、環境情報から端末情報を抽出してもよい。
【０１２５】
この場合、管理装置１００は、端末装置３００における記憶容量を削減するとの効果を奏する。
【０１２６】
さらに、管理装置１００は、暗号部１３０を含み、退避情報を暗号化してもよい。
【０１２７】
この場合、管理装置１００は、端末装置３００における安全性を向上するとの効果を奏する。
【０１２８】
さらに、管理装置１００は、退避情報取得部１５０と、環境情報生成部１８０とを含む。退避情報取得部１５０は、端末装置３００から退避情報を取得する。環境情報生成部１８０は、退避情報を基に環境情報を生成して、サーバ２００に生成した環境情報を送信する。
【０１２９】
サーバ２００は、受信した環境情報を用いて、端末装置３００と再接続できる。
【０１３０】
このように、管理装置１００は、端末装置３００に保存した退避情報を基にサーバ２００が再接続するための環境情報を提供するとの効果を奏する。
【０１３１】
さらに、管理装置１００は、復号部１６０及び共通情報取得部１７０を含む。管理装置１００は、これらの構成を用いて、退避情報が暗号化されている場合、及び、退避情報が端末情報の場合でも、環境情報を生成することができる。
【０１３２】
［実施形態の概要］
図面を参照して、第１の実施形態の概要を説明する。
【０１３３】
図９は、第１の実施形態の概要である管理装置１０１の構成の一例を示すブロック図である。
【０１３４】
管理装置１０１は、ネットワーク４００を介してサーバ２００及び端末装置３００と接続されている。管理装置１０１は、環境情報取得部１１０と、退避情報生成部１２０と、通知処理部１４０とを含む。環境情報取得部１１０は、サーバ２００が端末装置３００と接続するための環境に関する環境情報を取得する。退避情報生成部１２０は、環境情報を基に端末装置３００が保存する退避情報を生成し、端末装置３００に退避情報を送信する。通知処理部１４０は、端末装置３００から退避情報の保存の完了の通知を受信し、通知（保存完了通知）をサーバ２００に送信する。
【０１３５】
サーバ２００が上記の通知（保存完了通知）を受信した時点で、退避情報は、端末装置３００に保存されている。そこで、サーバ２００は、管理装置１００からの保存完了通知を基に、環境情報を削除できる。その結果、サーバ２００は、環境情報を保存するための記憶容量を削減できる。このように、管理装置１０１は、管理装置１００と同様に、サーバ２００における環境情報を保存するための記憶容量を削減するとの効果を奏する。
【０１３６】
なお、管理装置１０１は、管理装置１００における最小構成である。
【０１３７】
図１０は、第１に実施形態に係る情報処理システム１０の概要である情報処理システム１１の一例を示すブロック図である。
【０１３８】
情報処理システム１１は、上記の管理装置１０１と、端末装置３００と、サーバ２００とを含む。管理装置１０１は、環境情報取得部１１０と、退避情報生成部１２０と、通知処理部１４０とを含む。端末装置３００は、端末制御部３１０と、端末保存装置３２０とを含む。端末保存装置３２０は、管理装置１０１から受信した退避情報を保存する。端末制御部３１０は、退避情報の保存後に管理装置１０１に保存完了通知を送信する。サーバ２００は、サーバ制御部２１０と、環境保存装置２２０とを含む。環境保存装置２２０は、環境情報を保存する。サーバ制御部２１０は、端末装置３００との接続を切断するときに、管理装置１００に端末装置３００に対応した環境情報に関連する退避情報の保存を依頼する。そして、サーバ制御部２１０は、管理装置１００から退避情報の保存完了通知を受信すると環境保存装置２２０から保存完了通知に対応した環境情報を削除する。
【０１３９】
なお、情報処理システム１１は、情報処理システム１０の最小構成である。
【０１４０】
［ハードウェア構成］
以上の説明した管理装置１００及び管理装置１０１のハードウェアの構成について、管理装置１００を用いて説明する。
【０１４１】
管理装置１００は、次のように構成される。
【０１４２】
例えば、管理装置１００の各構成部は、ハードウェア回路で構成されてもよい。あるいは、管理装置１００において、各構成部は、ネットワークを介して接続した複数の装置を用いて、構成されてもよい。あるいは、管理装置１００において、複数の構成部は、１つのハードウェアで構成されてもよい。
【０１４３】
あるいは、管理装置１００は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とを含むコンピュータ装置として構成されてもよい。管理装置１００は、上記構成に加え、さらに、入出力接続回路（ＩＯＣ：Ｉｎｐｕｔ  ａｎｄ  Ｏｕｔｐｕｔ  Ｃｉｒｃｕｉｔ）を含むコンピュータ装置として構成されてもよい。管理装置１００は、上記構成に加え、さらに、ネットワークインターフェース回路（ＮＩＣ：Ｎｅｔｗｏｒｋ  Ｉｎｔｅｒｆａｃｅ  Ｃｉｒｃｕｉｔ）を含むコンピュータ装置として構成されてもよい。
【０１４４】
図１１は、管理装置１００のハードウェアの構成の一例を示すブロック図である。図１１は、管理装置１００のハードウェア構成の一例として、コンピュータ装置である情報処理装置８００の構成を示している。
【０１４５】
情報処理装置８００は、ＣＰＵ８１０と、ＲＯＭ８２０と、ＲＡＭ８３０と、内部記憶装置８４０と、ＩＯＣ８５０と、ＮＩＣ８８０とを含み、コンピュータ装置を構成している。
【０１４６】
ＣＰＵ８１０は、ＲＯＭ８２０からプログラムを読み込む。そして、ＣＰＵ８１０は、読み込んだプログラムに基づいて、ＲＡＭ８３０と、内部記憶装置８４０と、ＩＯＣ８５０と、ＮＩＣ８８０とを制御する。そして、ＣＰＵ８１０を含むコンピュータ装置は、これらの構成を制御し、図１に示されている、環境情報取得部１１０と、退避情報生成部１２０と、暗号部１３０と、通知処理部１４０としての各機能を実現する。さらに、ＣＰＵ８１０を含むコンピュータ装置は、これらの構成を制御し、図１に示されている、退避情報取得部１５０と、復号部１６０と、共通情報取得部１７０と、環境情報生成部１８０としての各機能を実現する。
【０１４７】
ＣＰＵ８１０は、各機能を実現する際に、ＲＡＭ８３０又は内部記憶装置８４０を、プログラムの一時記憶媒体として使用してもよい。
【０１４８】
また、ＣＰＵ８１０は、コンピュータで読み取り可能にプログラムを記憶した記録媒体８９０が含むプログラムを、図示しない記録媒体読み取り装置を用いて読み込んでもよい。あるいは、ＣＰＵ８１０は、ＮＩＣ８８０を介して、図示しない外部の装置からプログラムを受け取り、ＲＡＭ８３０又は内部記憶装置８４０に保存して、保存したプログラムを基に動作してもよい。
【０１４９】
ＲＯＭ８２０は、ＣＰＵ８１０が実行するプログラム及び固定的なデータを記憶する。ＲＯＭ８２０は、例えば、Ｐ−ＲＯＭ（Ｐｒｏｇｒａｍｍａｂｌｅ−ＲＯＭ）又はフラッシュＲＯＭである。
【０１５０】
ＲＡＭ８３０は、ＣＰＵ８１０が実行するプログラム及びデータを一時的に記憶する。ＲＡＭ８３０は、例えば、Ｄ−ＲＡＭ（Ｄｙｎａｍｉｃ−ＲＡＭ）である。
【０１５１】
内部記憶装置８４０は、情報処理装置８００が長期的に保存するデータ及びプログラムを記憶する。また、内部記憶装置８４０は、ＣＰＵ８１０の一時記憶装置として動作してもよい。内部記憶装置８４０は、例えば、ハードディスク装置、光磁気ディスク装置、ＳＳＤ（Ｓｏｌｉｄ  Ｓｔａｔｅ  Ｄｒｉｖｅ）又はディスクアレイ装置である。
【０１５２】
ここで、ＲＯＭ８２０と内部記憶装置８４０は、不揮発性（ｎｏｎ−ｔｒａｎｓｉｔｏｒｙ）の記録媒体である。一方、ＲＡＭ８３０は、揮発性（ｔｒａｎｓｉｔｏｒｙ）の記憶媒体である。そして、ＣＰＵ８１０は、ＲＯＭ８２０、内部記憶装置８４０、又は、ＲＡＭ８３０に記憶されているプログラムを基に動作可能である。つまり、ＣＰＵ８１０は、不揮発性記憶媒体又は揮発性記憶媒体を用いて動作可能である。
【０１５３】
ＩＯＣ８５０は、ＣＰＵ８１０と入力機器８６０との間、及び、ＣＰＵ８１０と表示機器８７０との間のデータを仲介する。ＩＯＣ８５０は、例えば、ＩＯインターフェースカード又はＵＳＢ（Ｕｎｉｖｅｒｓａｌ  Ｓｅｒｉａｌ  Ｂｕｓ）カードである。さらに、ＩＯＣ８５０は、ＵＳＢのような有線に限らず、無線を用いてもよい。
【０１５４】
入力機器８６０は、情報処理装置８００の操作者からの入力指示を受け取る機器である。入力機器８６０は、例えば、キーボード、マウス又はタッチパネルである。
【０１５５】
表示機器８７０は、情報処理装置８００の操作者に情報を表示する機器である。表示機器８７０は、例えば、液晶ディスプレイである。
【０１５６】
ＮＩＣ８８０は、ネットワークを介した図示しない外部の装置（例えば、サーバ２００及び／又は端末装置３００）とのデータのやり取りを中継する。ＮＩＣ８８０は、例えば、ＬＡＮ（Ｌｏｃａｌ  Ａｒｅａ  Ｎｅｔｗｏｒｋ）カードである。さらに、ＮＩＣ８８０は、有線に限らず、無線を用いてもよい。
【０１５７】
このように構成された情報処理装置８００は、管理装置１００と同様の効果を得ることができる。
【０１５８】
その理由は、情報処理装置８００のＣＰＵ８１０が、プログラムに基づいて管理装置１００と同様の機能を実現できるためである。
【０１５９】
なお、サーバ２００及び／又は端末装置３００が、図１１に示されているコンピュータ装置を用いて構成されてもよい。
【０１６０】
例えば、ＣＰＵ８１０は、ＲＯＭ８２０などプログラムを基に、図３に示されているサーバ制御部２１０としての各機能を実現する。この場合、内部記憶装置８４０は、環境保存装置２２０として動作する。
【０１６１】
あるいは、ＣＰＵ８１０は、ＲＯＭ８２０などプログラムを基に、図４に示されている端末制御部３１０としての各機能を実現する。この場合、内部記憶装置８４０は、端末保存装置３２０として動作する。
【０１６２】
＜第２の実施形態＞
次に、図面を参照して、第２の実施形態について説明する。
【０１６３】
［構成の説明］
まず、第２の実施形態に係る管理装置１０２の構成について、図面を参照して説明する。
【０１６４】
図１２は、第２の実施形態に係る管理装置１０２の構成の一例を示すブロック図である。管理装置１０２は、第１の実施形態に係る管理装置１００に構成に加え、削除依頼部１９０を含む。その他の構成は、第１に実施形態と同じためその詳細な説明を省略し、削除依頼部１９０について説明する。
【０１６５】
管理装置１０２は、図１１に示されているコンピュータ装置を用いて構成されてもよい。
【０１６６】
削除依頼部１９０は、環境情報生成部１８０が環境情報をサーバ２００に送信すると、端末装置３００に対して保存している退避情報の削除を依頼する。
【０１６７】
端末装置３００は、この依頼を基に退避情報を削除する。端末装置３００が、退避情報を削除するタイミングは任意である。端末装置３００は、削除の依頼を受信すると、退避情報を削除してもよい。あるいは、端末装置３００は、退避情報の総容量、又は、管理している記憶装置の総容量が所定の容量を超えた場合に、削除の依頼を受けた退避情報を削除してもよい。
【０１６８】
［効果の説明］
第２の実施形態に係る管理装置１０２は、第１の実施形態の効果に加え、端末装置３００における記憶容量を削減するとの効果を得ることができる。
【０１６９】
その理由は、次のとおりである。
【０１７０】
端末装置３００が保存している退避情報は、サーバ２００が環境情報を取得後は不要である。
【０１７１】
そこで、第２の実施形態に係る管理装置１０２の削除依頼部１９０は、環境情報をサーバ２００に送信すると、端末装置３００に退避情報の削除を依頼する。この依頼を基に、端末装置３００は、保存が必要なくなった退避情報を削除できる。
【０１７２】
以上、実施形態を参照して本願発明を説明したが、本願発明は上記実施形態に限定されるものではない。本願発明の構成及び詳細には、本願発明のスコープ内で当業者が理解し得る様々な変更をすることができる。
【符号の説明】
【０１７３】
１０    情報処理システム
１１    情報処理システム
１００    管理装置
１０１    管理装置
１０２    管理装置
１１０    環境情報取得部
１２０    退避情報生成部
１３０    暗号部
１４０    通知処理部
１５０    退避情報取得部
１６０    復号部
１７０    共通情報取得部
１８０    環境情報生成部
１９０    削除依頼部
２００    サーバ
２１０    サーバ制御部
２２０    環境保存装置
３００    端末装置
３１０    端末制御部
３２０    端末保存装置
４００    ネットワーク
４１０    内部ファイアウォール
５００    外部ファイアウォール
６００    外部ネットワーク
８００    情報処理装置
８１０    ＣＰＵ
８２０    ＲＯＭ
８３０    ＲＡＭ
８４０    内部記憶装置
８５０    ＩＯＣ
８６０    入力機器
８７０    表示機器
８８０    ＮＩＣ
８９０    記録媒体
【図１】
2019021119.tif 000003
【図２】
2019021119.tif 000004
【図３】
2019021119.tif 000005
【図４】
2019021119.tif 000006
【図５】
2019021119.tif 000007
【図６】
2019021119.tif 000008
【図７】
2019021119.tif 000009
【図８】
2019021119.tif 000010
【図９】
2019021119.tif 000011
【図１０】
2019021119.tif 000012
【図１１】
2019021119.tif 000013
【図１２】
2019021119.tif 000014